(57)【要約】【課題】  空調室内機及び空気調和機を提供することを課題とする。【解決手段】  本発明は、空調室内機及び空気調和機を開示する。前記空調室内機は、外気導入口が設けられた筐体と、前記外気導入口に対応して設けられた吹き出し構造を備え、前記筐体に取り付けられ、前記外気導入口に開閉可能に設置される外気導入パネル組立体と、を含む。【選択図】  図１７
2021517227.tif 000002
【特許請求の範囲】
【請求項１】
外気導入口が設けられた筐体と、
前記外気導入口に対応して設けられた吹き出し構造を備え、前記筐体に取り付けられ、前記外気導入口に開閉可能に設置される外気導入パネル組立体と、
を含む、空調室内機。
【請求項２】
前記外気導入パネル組立体と前記筐体とが取り外し可能に結合されて、前記外気導入パネル組立体が前記外気導入口に開閉可能に設置され、又は、
前記外気導入パネル組立体と前記筐体とが回動可能に結合されて、前記外気導入パネル組立体が前記外気導入口に開閉可能に設置される、請求項１に記載の空調室内機。
【請求項３】
前記外気導入パネル組立体と前記筐体とが取り外し可能に結合されるとき、前記外気導入パネル組立体と前記筐体とは、スナップフィット構造によって結合される、請求項２に記載の空調室内機。
【請求項４】
前記外気導入パネル組立体と前記筐体とが取り外し可能に結合されるとき、前記外気導入パネル組立体の一端は、スナップフィット構造によって前記筐体と結合され、又は、前記外気導入パネル組立体の一端に挿入舌部が設けられ、前記筐体に挿嵌溝が設けられ、前記挿入舌部が前記挿嵌溝内に挿着される、請求項２に記載の空調室内機。
【請求項５】
前記挿入舌部は前記外気導入パネル組立体の内表面に設けられ、前記外気導入パネル組立体の内表面に突設された舌根部と、前記舌根部に横方向に突設された挿着部とを含み、前記挿着部が前記外気導入パネル組立体の他端から離れる方向に向かって延びるように設けられ、前記挿嵌溝の開口周縁が前記挿着部と外気導入パネルとの間に設けられる、請求項４に記載の空調室内機。
【請求項６】
前記外気導入パネル組立体の他端は、スナップフィット構造により前記筐体に結合され、又は、前記外気導入パネル組立体の他端には係合具が設けられ、前記筐体に係合穴が設けられ、前記係合具が前記係合穴に係合される、請求項４に記載の空調室内機。
【請求項７】
前記外気導入パネル組立体と前記筐体との間に位置決めガイド構造が設けられ、又は、前記外気導入パネル組立体の内表面と前記筐体の外表面のいずれか一方に位置決め突起が設けられ、他方には位置決め溝が設けられている、請求項６に記載の空調室内機。
【請求項８】
前記外気導入パネル組立体の他端は、磁気吸引装置により前記筐体に結合され、又は、前記外気導入パネル組立体の内表面に第１磁気吸引部材が設けられ、前記筐体に前記第１磁気吸引部材に組み合わせて使用される第２磁気吸引部材が設けられている、請求項４に記載の空調室内機。
【請求項９】
前記外気導入パネル組立体と前記筐体とが回動可能に結合されるとき、前記外気導入パネル組立体の第１側縁と前記筐体とが回動可能に結合され、前記外気導入パネル組立体は前記外気導入パネル組立体の第１側縁から離れた位置において、前記筐体と取り外し可能に結合される、請求項２に記載の空調室内機。
【請求項１０】
前記筐体に収容凹溝が設けられ、前記外気導入口は前記収容凹溝の底部に設けられ、前記外気導入パネル組立体が前記収容凹溝内に取り付けられる、請求項１に記載の空調室内機。
【請求項１１】
前記筐体は、内側に曲げられて前記収容凹溝を形成する、請求項１０に記載の空調室内機。
【請求項１２】
前記筐体は、一体型パネルを含み、前記外気導入口が前記一体型パネルに設けられ、及び／又は、
前記吹き出し構造は、拡散吹出微細孔構造又は吹出グリル構造であり、及び／又は
前記外気導入パネル組立体は、屈曲部材であり、及び／又は、
前記空調室内機は、床置式又は壁掛式空調室内機である、請求項１に記載の空調室内機。
【請求項１３】
前記外気導入パネル組立体と前記筐体との間には密封構造が設けられ、又は、
前記外気導入パネル組立体の内表面と前記筐体の外表面のいずれか一方にシールリング突起が設けられ、他方にシールリング溝が設けられ、前記シールリング突起は前記外気導入口の外周側に設けられ、前記シールリング突起は前記シールリング溝内に設けられる、請求項１に記載の空調室内機。
【請求項１４】
前記外気導入パネル組立体は、
前記吹き出し構造が設けられた外気導入パネルと、
表面に前記外気導入パネルが取り付けられる取付板と、を含み、
前記取付板には前記取付板を貫通する通気口が設けられ、前記通気口は前記吹き出し構造に対応して配置され、前記取付板及び／又は前記外気導入パネルが前記筐体に取り付けられる、請求項１に記載の空調室内機。
【請求項１５】
前記筐体はパネルを含み、前記パネルは、
端面に挿嵌溝が設けられたパネル本体と、
前記挿嵌溝に挿嵌されるパネル装飾用ストリップと、を含み、
前記挿嵌溝の溝壁と前記パネル装飾用ストリップのいずれか一方には、位置決め穴が設けられ、他方には前記位置決め穴に挿嵌される位置決めピンが設けられる、請求項１に記載の空調室内機。
【請求項１６】
前記挿嵌溝の溝壁は、溝の開口に面する底壁を含み、前記位置決め穴が前記底壁に設けられる、請求項１５に記載の空調室内機。
【請求項１７】
前記位置決めピンは、前記位置決め穴に近づく方向に先細に設置され、及び／又は、前記位置決め穴の開口部は前記位置決めピンに近づく方向に末広形状である、請求項１５に記載の空調室内機。
【請求項１８】
前記挿嵌溝の開口部は、内側から外側に向かって末広形状となり、及び／又は、前記パネル装飾用ストリップの厚さは前記パネル本体に近づく方向に徐々に減少する、請求項１５に記載の空調室内機。
【請求項１９】
前記パネル装飾用ストリップと前記挿嵌溝の溝壁のいずれか一方に係止具が設けられ、他方に前記係止具と係合する係止溝が設けられる、請求項１５に記載の空調室内機。
【請求項２０】
前記パネル本体は、その端面に隣接する側面を有し、前記側面は前記パネル装飾用ストリップの端部に近接し、
前記パネル装飾用ストリップは、互いに接続する装飾部と挿嵌部とを含み、前記挿嵌部が前記挿嵌溝に挿嵌され、前記装飾部が前記挿嵌溝の外に露出して、長尺状を呈し、前記装飾部の端面と前記側面とが面一である、請求項１５に記載の空調室内機。
【請求項２１】
前記パネル本体が上下方向に延び、前記パネル本体の左端面及び右端面に前記挿嵌溝が設けられ、各前記挿嵌溝に前記パネル装飾用ストリップが設けられる、請求項１５に記載の空調室内機。
【請求項２２】
前記パネル装飾用ストリップに掛止穴が貫設される、請求項１５に記載の空調室内機。
【請求項２３】
前記パネルの端面に設けられた端板と、
前記端板の周方向に沿って延在して切欠部を有する環状を呈する端板装飾用ストリップと、をさらに含み、
前記パネルのパネル装飾用ストリップが前記切欠部に設けられ、前記端板装飾用ストリップと共に前記端板の周面を取り囲む、請求項１５に記載の空調室内機。
【請求項２４】
空調室外機と、前記空調室外機に接続する空調室内機と、を含む空気調和器であって、
前記空調室内機は、筐体と外気導入パネル組立体を含み、前記筐体には外気導入口が設けられ、前記外気導入パネル組立体は前記外気導入口に対応して設けられた吹き出し構造を備え、
前記外気導入パネル組立体は前記筐体に取り付けられ、前記外気導入口に開閉可能に設置される、空気調和機。
【発明の詳細な説明】
【技術分野】
【０００１】
［関連出願］
本願は、「空調室内機及び空気調和機」と題し、２０１９年３月３日に出願された、中国特許出願番号第２０１９２０２６９１７７．Ｘ号及び「パネル及び空気調和機」と題し、２０１９年３月３日に出願された、中国特許出願番号第２０１９２０２６７８０５．０号の優先権を主張し、その全内容は、引用により本明細書に組み込まれる。
【０００２】
本発明は、空調技術分野に関し、特に、空調室内機及び空気調和機に関する。
【背景技術】
【０００３】
関連技術において、前記空調室内機は、筐体と外気導入モジュールとを含み、前記筐体が一体型パネルを含み、前記外気導入モジュールが筐体内に取り付けられ、前記一体型パネルに外気導入モジュール吹出風路に対応する吹出構造（例えば拡散吹出微細孔構造或いは吹出グリル構造等）が設けられている。
【０００４】
空調室内機が長期間使用された後、その外気吹き出し構造が汚れやすくなり、この時、掃除のため、一体型パネル全体を取り外す必要があるため、この掃除プロセスが非常に面倒で、時間がかかり、利用者の掃除に不便である。
【発明の概要】
【発明が解決しようとする課題】
【０００５】
本発明は、関連技術において外気吹き出し構造の掃除が容易ではないという技術的課題を解決するため、空調室内機を提供することを主な目的とする。
【課題を解決するための手段】
【０００６】
上記目的を達成するため、本発明に係る空調室内機は、
外気導入口が設けられた筐体と、
前記外気導入口に対応して設けられた吹き出し構造を備え、前記筐体に取り付けられ、前記外気導入口に開閉可能に設置される外気導入パネル組立体と、
を含む。
【０００７】
本発明は、空調室外機と、前記空調室外機に接続する空調室内機とを含む空気調和機として更に提案される。前記空調室内機は、
外気導入口が設けられた筐体と、
前記外気導入口に対応して設けられた吹き出し構造を備え、前記筐体に取り付けられ、前記外気導入口に開閉可能に設置される外気導入パネル組立体と、
を含む。
【発明の効果】
【０００８】
本発明の空調室内機は、外気導入パネル組立体が外気導入口に開閉可能に設置され、外気導入パネル組立体を開くことにより外気導入パネル組立体を掃除できることで、外気導入パネル組立体の掃除プロセスを簡素化し、掃除効率を向上させることができる。
【０００９】
以下、本発明の実施形態又は従来技術内の技術的手段を明確に説明するため、実施形態又は従来技術の描写中に使用する必要がある図面を簡単に説明する。以下に説明する図面は、本発明の幾つかの実施形態に過ぎず、当業者にとって格別の創意工夫を要さずにそれら図面に示す構造に基づいてその他の図面を得ることができる。
【図面の簡単な説明】
【００１０】
【図１】本発明の一部実施形態に係る空調室内機の構造を示す模式図である。
【図２】図１の部位Ａの部分拡大図である。
【図３】図１の空調室内機の一体型パネルが開かれた状態の構造を示す模式図である。
【図４】図１の外気導入パネル組立体の構造を示す模式図である。
【図５】図４の外気導入パネル組立体の構造立体分解図である。
【図６】図４の部位Ｂの係止突起と係止穴の組み付け過程の拡大図である。
【図７】図５の取付板の別の状態の構造を示す模式図である。
【図８】図７の部位Ｃの部分拡大図である。
【図９】図７の係止穴部位の部分拡大図である。
【図１０】図４の外気導入パネル組立体の上面図であり、外気導入パネルと取付板が完全に組み付けられていない状態を示す。
【図１１】外気導入パネル組立体の図１０のI−I線に沿った断面図である。
【図１２】図１１の部位Ｄの部分拡大図である。
【図１３】図１１の右側端の部分拡大図である。
【図１４】外気導入パネル組立体の別の状態の断面図であり、外気導入パネルと取付板が完全に組み付けられた状態を示す。
【図１５】図１４の部位Ｅの部分拡大図である。
【図１６】図１４の部位Ｆの部分拡大図である。
【図１７】本発明の実施例１に係る空調室内機の構造を示す模式図である。
【図１８】図１７の部位Ｇの部分拡大図である。
【図１９】図１７の外気導入パネル組立体の構造を示す模式図である。
【図２０】本発明の実施例２に係る空調室内機の構造を示す模式図である。
【図２１】図２０の部位Ｈの部分拡大図である。
【図２２】図２０の外気導入パネル組立体の構造を示す模式図である。
【図２３】図２２の取付板の部分的構造を示す模式図であり、第１磁気吸引部材の組み込み中の状態を示す。
【図２４】図１内の一体型パネルの上面図である。
【図２５】一体型パネルの図２４のII−II線に沿った断面図である。
【図２６】図２５の部位Ｉの部分拡大図である。
【図２７】本発明の一実施形態に係る空調室内機の構造を示す模式図である。
【図２８】図２７の部位Ａの拡大図である。
【図２９】図２７の部位Ｂの拡大図である。
【図３０】図２７の空調室内機の構造を示す模式図であり、パネルが開かれた状態を示す。
【図３１】図３０の部位Ｃの拡大図である。
【図３２】図２７の空調室内機の部分構造の分解図である。
【図３３】図３２の部位Ｄの拡大図である。
【図３４】図２７のパネル分解図である。
【図３５】図３４の部位Ｅの拡大図である。
【図３６】図３４の部位Ｆの拡大図である。
【図３７】図２７のパネルの構造を示す模式図である。
【図３８】図３７の部位Ｇの拡大図である。
【図３９】図３２のパネル装飾用ストリップの構造を示す模式図である。
【図４０】図３９の部位Ｈの拡大図である。
【図４１】図２７の空調室内機の別の角度から見た構造を示す模式図である。
【図４２】図４１の部位Ｉの拡大図である。
【図４３】図４１の端板の構造を示す模式図である。
【発明を実施するための形態】
【００１１】
注：
１、本願は、出願番号第２０１９２０２６７８０５．０号の内容を引用する時、その技術的特徴の符号が出願番号第２０１９２０２６９１７７．Ｘの符号と重複することで混乱が生じるのを避けるため、出願番号第２０１９２０２６７８０５．０号の一部技術的特徴の符号を補正した。これは形式的補正に属する。その補正前後の対照関係は次の通りとする。パネルの符号１０を１１に補正。パネル本体の符号１１を１１６に補正。第１端面の符号１１１を１１６１に補正。挿嵌溝の符号１１２を１１６２に補正。位置決め穴の符号１１３を１１６３に補正。係止溝の符号１１４を１１６４に補正。側面の符号１１５を１１６５に補正。パネル装飾用ストリップの符号１２を１１７に補正。位置決めピンの符号が１２１を１１７１に補正。傾斜面の符号１２１１を１１７１１に補正。係止具の符号１２２を１１７２に補正。装飾部の符号１２３を１１７３に補正。挿嵌部の符号１２４を１１７４に補正。第２端面の符号１２５を１１７５に補正。掛止穴の符号１２６を１１７６に補正。端板の符号２０を１２に補正。端板装飾用ストリップの符号３０を１３に補正。切欠部の符号３１を１３１に補正。パネルフレームの符号を変更しない。
【００１２】
本発明の目的の達成、機能・特徴及び利点について、図面を基に実施形態を組み合わせて更なる説明を行う。
【００１３】
以下、本発明の実施形態の図面を参照して、本発明の実施形態の技術的手段について、明確、完全に描写する。描写された実施形態は、すべての実施形態ではなく、僅か本発明の一部実施形態であることは明らかである。
【００１４】
ここで言及すべき点は、本発明の実施形態において、用語「上」、「下」、「左」、「右」、「前」、「後」などが示した方位は、単に特定の姿勢（図面に示される通り）における各要素間の相対的な位置関係、運動状況等についての説明を容易にするために用いられ、図面に描かれている該特定の姿勢に変更があった場合、該方位も伴って変更される。
【００１５】
また、本明細書において使用されている「及び／又は」の意味には、３つの並列なスキームが含まれ、「Ａ及び/またはＢ」を例に説明すると、Ａスキームと、Ｂスキームと、ＡとＢの両方を満たすスキームとが含まれる。また本発明の各実施形態の間の技術的手段は、相互に結合できるものとするが、当業者が実施できることを原則とする。技術的手段の結合に互に矛盾があった時或いは実現できない時、この種の技術的手段の結合が存在せず、本発明請求の保護範囲外とすることが認定されるべきである。
【００１６】
本発明は、空調室内機として提案される。図４に示すように、前記空調室内機は、外気導入モジュール４０を含み、前記外気導入モジュール４０が外気を室内に導入する（室内に外気を送る）ために用いられ、密閉された室内空間に継続して新鮮な空気を供給することで、室内空気の酸素濃度を増加させ、空調病を減らす。選択的に、前記外気導入モジュールは、室内の空気を排出するためにも用いることができる。
【００１７】
選択的に、前記外気導入モジュールは、室内機の筐体内に取り付けられた外気導入シェル（図示せず）と、外気導入シェル内に取り付けられた外気導入ファン組立体（図示せず）とを含み、前記外気導入シェルが外気吸込口と外気吹出口とを備え、前記外気吸込口が室外と連通され、前記外気吹出口が室内と連通され、前記外気吸込口と外気吹出口が連通し、前記外気導入ファン組立体が外気の流動の動力を提供するために、前記外気吸込口と外気吹出口の間に位置する。
【００１８】
前記空調室内機は、床置式又は天井吊式或いは壁掛式の空調室内機、若しくはタテ型壁掛式空調室内機などであることが理解できる。以下に壁掛式空調室内機を例として説明していくが、壁掛式空調室内機だけに限定されるものでない。
【００１９】
本発明の一実施形態では、図１乃至図３、図１７、図１８、図２０、及び図２１に示すように、前記空調室内機１００は、外気導入口１１１が設けられた筐体１０と、吹き出し構造２１１を備え、前記筐体１０に取り付けられ、前記吹き出し構造２１１が外気導入口１１１に対応して設けられた外気導入パネル組立体２０と、を含む。
【００２０】
具体的には、前記外気導入口１１１は、外気の出口である。前記外気導入パネル組立体２０は、筐体１０に取り付けられ、外気導入口１１１に蓋設することができ、防塵を実現する。且つ、外気導入パネル組立体２０に外気導入口１１１と対応する吹き出し構造２１１が設置されることで、導入した外気に対して処理を行い、利用者の様々なニーズも実現する。
【００２１】
具体的な実施形態では、図２に示すように、前記吹き出し構造２１１は、拡散吹出微細孔構造、すなわち、前記外気導入パネル組立体２０に間隔を空けて配置された複数の拡散吹出微細孔（前記拡散吹出微細孔が外気導入パネル組立体２０を貫通している）でありうる。これによって無風感冷房を実現できることでユーザーエクスペリエンスを向上することができる。或いは、前記吹き出し構造２１１は、吹出グリル構造（図示せず）であってもよい。これによって吹き出しを実現すると共に、外気導入パネル組立体２０の製造難易度及び製造コストを更に低減できる。当然、実際のニーズに応じて前記吹き出し構造２１１は、その他の構造形態として設けることもでき、ここではこれ以上説明しない。
【００２２】
具体的に言えば、前記筐体１０は、一体型パネル１１を含み、前記外気導入口１１１が一体型パネル１１に設けられ、前記外気導入パネル組立体２０が一体型パネル１１に取り付けられる。
【００２３】
本発明は、外気導入パネル組立体２０自体の構造形態及びその取付け方式をそれぞれ改善するが、当然、その２つの態様の改善を互いに結合することもできる。具体的に言えば、外気導入パネル組立体２０について、前記外気導入パネル組立体２０を一体成形構造として設置して、その構造を筐体１０に直接取り付けるか、或いは前記外気導入パネル組立体２０は別々に設けられる外気導入パネル２１と取付板２２とを含み、前記外気導入パネル２１が取付板２２に取り付けられ、前記取付板２２及び／或いは外気導入パネル２１が筐体１０に取り付けられる。外気導入パネル組立体２０の取付方法については、前記外気導入パネル組立体２０を前記外気導入口１１１に開閉可能に設置するか、又は、前記外気導入パネル組立体２０を前記外気導入口１１１に取り外し不能に蓋設することができる。以下では、個別に、または組み合わせて説明していく。
【００２４】
ここで言及すべき点は、前記外気導入パネル組立体２０は、矩形構造、正方形構造又は腰形構造などの規則的な形状構造として設置できるため、外気導入パネル組立体２０の設計、製造、及び組み付けを容易にすることができる。当然、前記外気導入パネル組立体２０は、不規則な形状の構造として設置することもできる。
【００２５】
外気導入パネル２１と取付板２２との間のスナップフィット構造の説明を容易にするために、以下に、外気導入パネル組立体２０を矩形構造又は略矩形構造として説明する。選択的に、下記における外気導入パネル２１及び取付板２２は、いずれも矩形構造或いは略矩形構造である。
【００２６】
以下に、「外気導入パネル組立体２０が別々に設けられた外気導入パネル２１と取付板２２とを含む」状況について具体的に説明する。
【００２７】
さらに、図４及び図５に示すように、前記外気導入パネル組立体２０は、前記吹き出し構造２１１が設けられた外気導入パネル２１と、取付板２２とを含む。前記外気導入パネル２１が取付板２２の表面に取り付けられ、前記取付板２２に取付板２２を貫通する通気口２２１が設けられ、前記通気口２２１が吹き出し構造２１１に対応して配置される。前記通気口２２１は、外気を通過させることができるため、取付板２２の外気に対する影響を避けることができる。
【００２８】
製造プロセスでは、外気導入パネル組立体２０は初期製造段階の後（例えば離型後）、まだその外観は標準に達せず、製品に直接適用できない。したがって、設計要件を満たすため、外気導入パネル組立体２０のさまざまな部分に対し異なる工程処理を行う必要がある。例えば、外気導入パネル組立体２０の内外表面に吹付塗装処理を施し、その周縁に電気メッキ処理を施す必要がある。本発明では、別々に組み立てられた外気導入パネル２１及び取付板２２を設けることにより、外気導入パネル２１に吹付塗装処理を施し、取付板２２に電気メッキ処理を施すことができる。選択的に、前記外気導入パネル２１の表面に吹付塗装処理を施し、例えば外気導入パネル２１の表面にエレガンスゴールドを吹付塗装し、取付板２２の周縁に電気メッキ処理を施し、例えば取付板２２の周縁をモカゴールドの電気メッキで処理する。
【００２９】
本発明は、別々に連結して設けられる外気導入パネル２１と取付板２２とを含む外気導入パネル組立体２０として設けることにより、外気導入パネル２１及び取付板２２について各々異なる工程処理を施すことで、異なる設計要件を満たすと同時に、外気導入パネル組立体２０の加工プロセスを簡素化し、生産効率を向上させることができることを理解されたい。
【００３０】
ここで、言及すべき点は、別々に連結して設けられる外気導入パネル２１と取付板２２とを含む外気導入パネル組立体２０として設ける時、前記外気導入パネル組立体２０が前記外気導入口１１１に開閉可能に設置されてもよいし、また前記外気導入口１１１に取り外し不能(例えば溶接など)に蓋設することも可能である。
【００３１】
当然、その他の改善点では、前記外気導入パネル組立体２０は、一体に配置された構造として設けることもできる。
【００３２】
さらに、前記外気導入パネル２１は、取付板２２の表面に向かって取付板２２の表面に沿って設置される。これにより、外気導入パネル２１と取付板２２との隙間を非常に小さくし、更には隙間を無くすことで、風漏れによる異音の発生を防止できる。
【００３３】
さらに、図３乃至図５に示すように、前記外気導入パネル２１は、取付板２２の外表面に取り付けられている。前記取付板２２の外表面とは、取付板２２の筐体１０に向いた面とは反対側の表面を指し、反対に、前記取付板２２の内表面とは、取付板２２の筐体１０に向いた面を指す。同様に、前記外気導入パネル２１の外表面とは、外気導入パネル２１の筐体１０に向いた面と反対側の表面を指し、反対に、前記外気導入パネル２１の内表面とは、外気導入パネル２１の筐体１０に向いた表面を指す。
【００３４】
したがって、外気導入パネル２１を取付板２２の外表面に取り付けることにより、吹き出し構造２１１を通気口２２１の外側に位置させることで、吹き出し構造２１１が室内に空気を送り出すのを容易にする。
【００３５】
さらに、図４、図５及び図７に示すように、前記取付板２２は、基材２２２と、基材２２２の外表面に設けられた装飾側板２２３とを含み、前記通気口２２１が基材２２２に設けられ、前記外気導入パネル２１が基材２２２の外表面に設けられ、かつ前記外気導入パネル２１が装飾側板２２３の内側に位置する。装飾側板２２３の内側とは、装飾側板２２３における基材２２２の中心に向かう側を指す。
【００３６】
このように、取付板２２が基材２２２と、装飾板の外表面に設けられた装飾側板２２３とを含むことにより、前記基材２２２と装飾側板２２３との間で取付け空間を画定することができる。前記外気導入パネル２１を基材２２２の外表面に取り付け、かつ装飾側板２２３の内側に位置させ、外気導入パネル２１を前記取付け空間内に取り付けることで、外気導入パネル２１を保護することができる。
【００３７】
具体的には、前記装飾側板２２３は、基材２２２のエッジに設けられる。したがって、取付板２２のサイズを小さくすることに役立つ。
【００３８】
具体的には、前記外気導入パネル２１の側縁は、装飾側板２２３に近く又は隣接して配置される。このように、外気導入パネル２１と取付板２２との組み立てのコンパクト性を向上させることで、設計の合理性を向上させることができる、すなわち、外気導入パネル組立体２０の小型化、合理的な設計を実現することができる。
【００３９】
具体的には、装飾側板２２３に対し電気メッキ処理を施すことができる。このように、装飾側板２２３を設置することで、取付板２２の周縁に容易に電気メッキ処理を施すことができ、かつメッキ効果を容易に発揮させることができる。
【００４０】
さらに、図５に示すように、前記外気導入パネル２１と取付板２２は、スナップフィット構造により結合されている。一般に、スナップフィット構造は加工しやすく、かつ外気導入パネル組立体２０自体の構造を損傷させることがない。かつスナップフィット構造を設計することにより、各スナップフィット構造を互いに嵌合させ、目的の接続効果を簡単に達成できる。かつ、スナップフィット構造の組み立ては、簡単、便利で堅牢である。
【００４１】
以下、外気導入パネル２１と取付板２２との間のスナップフィット構造について詳細に説明する。外気導入パネル２１と取付板２２との間のスナップフィット構造は、これに限定されないことを理解されたい。
【００４２】
具体的には、図４乃至図６に示すように、前記外気導入パネル２１の内側面に係止突起２１２が設けられ、前記取付板２２に係止穴２２４が設けられ、前記係止突起２１２が前記係止穴２２４内に係合される。したがって、係止突起２１２と係止穴２２４の係合を通じて外気導入パネル２１と取付板２２に対し初期の取付け・位置決めを実現できる。
【００４３】
さらに、図５及び図６に示すように、前記係止突起２１２は、外気導入パネル２１の内表面に突設された連結突起２１２１と、連結突起２１２１から横方向に突設された制限突起２１２２とを含み、前記制限突起２１２２が外気導入パネル２１と対向して設けられ、前記連結突起２１２１、制限突起２１２２及び外気導入パネル２１の間でラッチ溝２１２３を画定する。図５、図６、及び図９に示すように、前記係止穴２２４の内側壁にラッチ突起２２４１が突設され、前記ラッチ突起２２４１と係止穴２２４の内側壁の間に取付隙間２２４２が形成され、前記ラッチ突起２２４１がラッチ溝２１２３に係合される。取付隙間２２４２は、係止突起２１２を通過させるために用いられる。
【００４４】
具体的には、前記ラッチ溝２１２３には、入口がある。図６に示すように、外気導入パネル２１と取付板２２を取り付ける時、先に前記係止突起２１２を係止穴２２４の取付隙間内に挿入してから外気導入パネル２１と取付板２２を動かして相対的に運動させ、ラッチ突起２２４１をラッチ溝２１２３の入口を経由してラッチ溝２１２３内に移動させる。この時、制限突起２１２２は、ラッチ突起２２４１の動きを制限することで、外気導入パネル２１と取付板２２を係合させることができる。
【００４５】
したがって、上記の構造的配置により、外気導入パネル２１と取付板２２を簡単かつ便利に接続することができる。
【００４６】
さらに、図６に示すように、前記係止突起２１２は、前記外気導入パネル２１の内表面に突設される補強突起２１２４を更に含み、前記補強突起２１２４が制限突起２１２２と外気導入パネル２１を連結している。したがって、補強突起２１２４の設置を通じて、係止突起２１２の構造的強度を高めるできることで、外気導入パネル２１と取付板２２との結合強度及び安定性を増やすことができる。
【００４７】
さらに、図５及び図６に示すように、前記補強突起２１２４は、前記ラッチ突起２２４１の延在方向に設けられる。したがって、前記補強突起２１２４は、ラッチ突起２２４１の取り付けに対し位置決めの役目を果たすことができる。
【００４８】
さらに、図５及び図６に示すように、前記係止突起２１２は複数設けられ、前記係止穴２２４も複数の係止突起２１２に対応して複数設けられ、複数の係止突起２１２が複数の係止穴２２４内に各々対応して係合される。このように、外気導入パネル２１と取付板２２との結合強度及び安定性をさらに高めることができる。
【００４９】
さらに、前記係止突起２１２は規則的に配置してもよく、したがって、外気導入パネル２１の設計及び製造を容易にすることができる。
【００５０】
さらに、図５及び図６に示すように、前記係止突起２１２は、２列に設けられている。前記係止突起２１２の数が多いほど、外気導入パネル２１の製造難易度も相対的に大きくなることが分かる。したがって、２列の係止突起２１２の設置を通じて、外気導入パネル２１と取付板２２との結合強度及び安定性を確保できるし、無駄、製造難易度の増大を避けることもできる。当然、係止突起２１２はその他の規則的な配置で設計することもできる。
【００５１】
さらに、前記２列の係止突起２１２は、各々外気導入パネル２１の対向する両辺側に設けられる。このようにして、係止突起２１２が吹き出し構造２１１などの他の構造と干渉することを防止することができること、それにより、外気導入パネル２１の小型化設計が容易になる。
【００５２】
具体的には、前記２列の係止突起２１２は、各々外気導入パネル２１の両長辺側に設けられる。同様に、前記係止穴２２４も２列に設けられており、各々取付板２２の両長辺側に配置される。このように、外気導入パネル組立体２０の長辺側に係止突起２１２と係止穴２２４のスナップフィット構造を設けることにより、外気導入パネル２１の長辺側と取付板２２の長辺側との結合強度及び安定性を容易に向上させることができることで、外気導入パネル２１と取付板２２との結合強度及び安定性を向上することに有利である。
【００５３】
複数の係止突起２１２によって画定されるラッチ溝２１２３の入口の向きは、組み立ての一貫性を確保するため、一致していなければならず、それにより、組み立てプロセスを簡素化することを理解されたい。
【００５４】
さらに、前記ラッチ突起２２４１は、外気導入パネル組立体２０の長さ方向に延びている。このようにして、外気導入パネル２１と取付板２２を外気導入パネル組立体２０の長さ方向に相対的に運動させると、ラッチ突起２２４１はラッチ溝２１２３の入口を経由してラッチ溝２１２３内に移動することができる。当然、ラッチ突起２２４１は、その他の方向に延伸することもできる。
【００５５】
さらに、図５乃至図８、及び図１１乃至図１６に示すように、前記外気導入パネル２１の内側面及び前記取付板２２の外表面のうちのいずれかに後退防止突起２１３が設けられ、他方に後退防止凹溝２２５が設けられ、前記後退防止突起２１３が後退防止凹溝２２５に挿設される。このように、互いに嵌合する後退防止突起２１３及び後退防止凹溝２２５を設けることにより、外気導入パネル２１と取付板２２とが反対方向に移動することを防止できることで、係止突起２１２が係止穴２２４から外れるのを防ぐことができる。
【００５６】
具体的な実施形態では、外気導入パネル２１及び取付板２２の厚さは、いずれも薄く、その上のスナップフィット構造等の部材の構造的強度も弱く、繰り返し取り外しすると破損しやすいことを理解されたい。したがって、外気導入パネル２１と取付板２２との間のスナップフィット構造が取り外しやすい構造として設計されている場合、利用者は取り外しの過程で外気導入パネル組立体２０を損傷させやすい。本発明では、後退防止突起２１３及び後退防止凹溝２２５を設けて組み合わせて使用することにより、外気導入パネル２１と取付板２２との間のスナップフィット構造を取り外し困難又は取り外し不可能な構造にすることができ、したがって、外気導入パネル組立体２０の損傷リスクを軽減することができ、かつ誤って取り外されるのを防ぐことができる（すなわち、筐体１０から外気導入パネル組立体２０を取り外す時、外気導入パネル２１或いは取付板２２が誤って取り外されることを防止できる）。
【００５７】
具体的には、図５に示すように、前記後退防止突起２１３は、前記外気導入パネル２１の内側面に設けられ、前記後退防止凹溝２２５が前記取付板２２の外側面に設けられる。
【００５８】
さらに、図７、図８及び図１１乃至図１６に示すように、前記取付板２２の外表面には、後退防止凹溝２２５に隣接して設けられた位置合わせ溝２２６が更に設けられ、前記位置合わせ溝２２６は、後退防止突起２１３が後退防止凹溝２２５に滑り込むように案内するために用いられる。このようにして、外気導入パネル２１と取付板２２との間の取付け難易度を低減することができる。
【００５９】
外気導入パネル２１と取付板２２は、摺動可能に取り付けられているため、予備位置決め時（すなわち、係止突起２１２が係止穴２２４の取り付け隙間に挿入された時）、後退防止突起２１３と後退防止凹溝２２５の間にずれが存在し、位置合わせ溝２２６が設けられていない場合、後退防止突起２１３が取付板２２の外表面に直接当接するため、外気導入パネル２１と取付板２２との取り付けが困難になる。
【００６０】
本発明は、位置合わせ溝２２６を設けることにより、予備位置決め時（すなわち、係止突起２１２が係止穴２２４の取り付け隙間に挿入された時）、後退防止突起２１３が位置決め突起内に挿入されることで、外気導入パネル２１と取付板２２との予備的な位置合わせを容易にし、それにより外気導入パネル２１と取付板２２との間の取付け難易度を低減し、その後、外気導入パネル２１と取付板２２が相対的に運動する時、後退防止突起２１３は位置合わせ溝２２６内から後退防止凹溝２２５に滑り込み、それにより、外気導入パネル２１と取付板２２との間の取付けを完了させることができる。
【００６１】
具体的な実施形態では、後退防止突起２１３が位置合わせ溝２２６内から後退防止凹溝２２５に滑り込むよう誘導することを容易にするため、位置合わせ溝２２６及び／又は後退防止突起２１３をさらに改善できる。以下に具体的に説明していく。
【００６２】
具体的には、図７、図８及び図１１乃至図１６に示すように、前記位置合わせ溝２２６は、後退防止凹溝２２５に隣接する案内内壁２２６１を備え、前記案内内壁２２６１の少なくとも一部が後退防止凹溝２２５に近づく方向に斜めに配置される。したがって、後退防止突起２１３を位置合わせ溝２２６内から後退防止凹溝２２５への滑り込むよう誘導することができる。
【００６３】
選択的に、前記案内内壁２２６１は、後退防止凹溝２２５に近づく方向に斜めに配置される。このようにして、誘導効果を高めることができる。
【００６４】
具体的には、後退防止凹溝２２５内に後退防止突起２１３が設けられると、前記後退防止突起２１３は位置合わせ溝２２６から離れた側に位置する案内外側面（図示せず）を備え、前記案内外側面の少なくとも一部が位置合わせ溝２２６に近づく方向に斜めに配置される。したがって、後退防止突起２１３が位置合わせ溝２２６内から後退防止凹溝２２５に滑り込むよう誘導しやすくなる。
【００６５】
選択的に、前記案内外側面は、位置合わせ溝２２６に近づく方向に斜めに配置される。このようにして、誘導効果を高めることができる。
【００６６】
具体的には、前記位置合わせ溝２２６の深さは、前記後退防止凹溝２２５の深さより浅い。したがって、さらに後退防止突起２１３が位置合わせ溝２２６内から後退防止凹溝２２５に滑り込むよう誘導しやすくなる。
【００６７】
さらに、図５及び図８に示すように、前記後退防止突起２１３は、長尺状であり、前記後退防止凹溝２２５と位置合わせ溝２２６がいずれも対応して配置される。したがって、後退防止突起２１３の構造的強度を高めることができることで、外気導入パネル２１と取付板２２との間の結合強度を高めることができる。
【００６８】
具体的には、前記後退防止突起２１３の延在方向は、外気導入パネル２１及び取付板２２の取付け時の相対的な運動方向に対し角度をなしており、かつその角度が通常９０度、或いはほぼ９０度に設定される。このようにして、外気導入パネル２１及び取付板２２の取付け時の相対的な運動距離を短くすることができることで、組立プロセスを簡素化するだけでなく、小型化設計も達成できる。
【００６９】
選択的に、前記後退防止突起２１３は、外気導入パネル組立体２０の幅方向に延びている。
【００７０】
さらに、図４、図５及び図１０乃至図１６に示すように、前記外気導入パネル２１の内側面に係止フック２１４が設けられており、前記係止フック２１４は外気導入パネル２１の内側面に突設された支持突起２１４１と、支持突起２１４１から横方向に突出した突起状ストッパー２１４２とを含み、前記支持突起２１４１、突起状ストッパー２１４２及び外気導入パネル２１の間に、入口を備えた係止フック２１４溝を画定し、前記取付板２２の一側縁が係止フック２１４溝に係合される。このようにして、取付板２２の一側縁を係止フック２１４溝内に拘束することができることで、外気導入パネル２１と取付板２２との結合強度及び安定性を高めることができる。
【００７１】
具体的には、前記係止フック２１４は、外気導入パネル２１のエッジの近くに設けられるため、小型化設計を実現するのに有利である。
【００７２】
さらに、図１１、図１２、図１５及び図１６に示すように、前記突起状ストッパー２１４２の外気導入パネル２１の内側面に向く側面には脱落防止溝２１４２１が設けられ、前記取付板２２の一側縁に脱落防止突起２２７が設けられ、前記脱落防止突起２２７が前記脱落防止溝２１４２１内に設けられる。これにより、取付板２２の一側縁が係止フック２１４溝から外れることを防止できることで、取付板２２の一側縁と係止フック２１４溝の結合強度を高めることができる。
【００７３】
さらに、図４及び図５に示すように、前記係止フック２１４は、前記取付板２２の一側縁の延在方向に複数設けられる。このようにして、外気導入パネル２１と取付板２２との結合強度及び安定性をさらに高めることができる。
【００７４】
選択的に、前記係止フック２１４は、外気導入パネル２１の短辺に設けられる。このようにして、係止フック２１４と取付板２２の一側縁のスナップフィット構造は、係止突起２１２と係止穴２２４のスナップフィット構造とをよりよく連携させ、多点／多方向で外気導入パネル２１と取付板２２との結合を実現できることで、外気導入パネル２１と取付板２２との結合強度及び安定性を高めることができる。
【００７５】
さらに、前記外気導入パネル２１の内側面には、当接突起２１６が更に設けられており、前記当接突起２１６が係止突起２１２に隣接して配置され、前記取付板２２の一側縁が前記当接突起２１６に当接する。具体的には、前記当接突起２１６は、外気導入パネル２１の一方の短辺に設けられる。
【００７６】
具体的には、図４及び図５に示すように、前記後退防止突起２１３は、前記外気導入パネル２１の他方の短辺の近くに設けられる。
【００７７】
さらに、図５及び図７に示すように、前記外気導入パネル２１及び前記取付板２２のいずれかに補強突起リブ２１５が設けられ、他方には補強用凹溝２２８が設けられており、前記補強突起リブ２１５は補強用凹溝２２８内に設けられる。このようにして、外気導入パネル２１と取付板２２の構造的強度を別々に高めることができ、損傷のリスクを減らすことができる。
【００７８】
具体的には、図５及び図７に示すように、前記補強突起リブ２１５は、外気導入パネル２１の内表面に設けられ、前記補強用凹溝２２８が前記取付板２２の外表面に設けられる。
【００７９】
具体的には、図５及び図７に示すように、前記取付板２２は側部が内側に凹んで補強用凹溝２２８を形成している。
【００８０】
具体的には、図５及び図７に示すように、前記補強突起リブ２１５は、外気導入パネル２１の長さ方向に沿って延びてもよく、前記補強用凹溝２２８が取付板２２の長さ方向に沿って延びてもよい。選択的に、前記補強突起リブ２１５は、外気導入パネル２１の長さ方向上において間隔をおいて複数個設けられ、前記補強用凹溝２２８が取付板２２の長さ方向に間隔を空けて複数設けられる。このようにして、外気導入パネル２１及び取付板２２の構造的強度をさらに高めることができる。選択的に、前記補強突起リブ２１５は、外気導入パネル２１の長辺側の近くに配置され、前記補強用凹溝２２８が取付板２２の長辺側の近くに配置される。
【００８１】
上記の構造的配置により、外気導入パネル２１と取付板２２との間の結合を取り外し困難或いは取り外し不能にすることができることで、利用者が外気導入パネル組立体２０を損傷するリスクを軽減することができ、かつ誤って取り外されるのを防ぐことができることが特に強調されるべきである。
【００８２】
さらに、図４及び図５に示すように、前記外気導入パネル組立体２０は、屈曲部材であり、前記外気導入パネル２１が屈曲部材で、前記取付板２２も屈曲部材である。したがって、外気導入パネル組立体２０の形状は、空調室内機１００の外形に適合させることができる。また、外気導入パネル組立体２０は、屈曲部材として設けられることで、外気導入パネル組立体２０と筐体１０との間の結合強度も高めることができる。
【００８３】
当然、前記外気導入パネル組立体２０の長さが短い時、屈曲しない形状、すなわちほぼ平板状に設けてもよい。
【００８４】
以下に、「前記外気導入パネル組立体２０が前記外気導入口１１１に開閉可能に設置される」状況について具体的に説明していく。
【００８５】
さらに、図１７、図１８、図２０及び図２１に示すように、前記外気導入パネル組立体２０は、外気導入口１１１に開閉可能に設置される。
【００８６】
具体的には、前記外気導入パネル組立体２０は、少なくとも、外気導入口１１１を覆う送風状態、及び外気導入口１１１を開く掃除状態を有する。前記送風状態にある時、前記吹き出し構造２１１が外気導入口１１１に対応して、室内に空気を送り出し、前記掃除状態にある時、外気導入パネル組立体２０及び／或いは外気導入口１１１を掃除できる。
【００８７】
したがって、本発明の空調室内機１００は、外気導入パネル組立体２０を外気導入口１１１に開閉可能に設置することにより、外気導入パネル組立体２０を開いて外気導入パネル組立体２０を清掃することができることで、外気導入パネル組立体２０の掃除プロセスを簡素化でき、掃除効率を向上させることができる。
【００８８】
ここで言及すべき点は、前記外気導入パネル組立体２０が前記外気導入口１１１に開閉可能に設置された時、前記外気導入パネル組立体２０は一体に形成された構造であっても、別個に設けられた外気導入パネル２１と取付板２２を含むように構成されてもよい。
【００８９】
具体的な実施形態では、「前記外気導入パネル組立体２０が前記外気導入口１１１に開閉可能に設置される」ことを実現するための多くの構造形態について、以下に例を挙げて説明する。ただし、当業者は本発明で開示された内容に基づいて多くの実現形態を容易に想到できることに留意されたい。
【００９０】
さらに、図１７、図１８、図２０及び図２１に示すように、前記外気導入パネル組立体２０が外気導入口１１１に開閉可能に設置されるように、前記外気導入パネル組立体２０は筐体１０と着脱可能に結合される。具体的には、前記外気導入パネル組立体２０は、一体型パネル１１と着脱可能に結合される。
【００９１】
したがって、外気導入パネル組立体２０を筐体１０と着脱可能に結合することにより、掃除時、外気導入パネル組立体２０を筐体１０から外すことができ、外気導入パネル組立体２０と筐体１０を分離させることで、外気導入パネル組立体２０の掃除が位置の制限を受けないだけでなく、更に外気導入パネル組立体２０を掃除するための利用者の利便性及び安全性も高めることができる。さらに、外気導入パネル組立体２０が外気導入口１１１の掃除を妨げることがないため、外気導入口１１１の掃除の利便性を高めることができる。
【００９２】
具体的な実施形態では、外気導入パネル組立体２０と筐体１０の着脱可能な結合構造は、螺合構造、スナップフィット構造、磁気吸引構造などのうちの１つ又は複数を含むことができる。ここで、外気導入パネル組立体２０と筐体１０の着脱可能な結合は、スナップフィット構造によって実現されると、外気導入パネル組立体２０と筐体１０との間の結合を簡単かつ便利にすることができる。
【実施例１】
【００９３】
本発明の空調室内機１００の実施例１では、前記外気導入パネル組立体２０と筐体１０とは、スナップフィット構造によって結合され、以下に詳細に説明する。
【００９４】
さらに、図１７乃至図１９に示すように、前記外気導入パネル組立体２０の一端は、スナップフィット構造によって筐体１０に結合されている。具体的には、前記外気導入パネル組立体２０の一端は、スナップフィット構造によって一体型パネル１１に結合されている。したがって、外気導入パネル組立体２０の一端と筐体１０との結合を実現できる。
【００９５】
具体的には、図１８及び図１９に示すように、前記外気導入パネル組立体２０の一端に挿入舌部２２９が設けられ、前記筐体１０に挿嵌溝１１２が設けられ、前記挿入舌部２２９が挿嵌溝１１２内に挿着される。前記挿嵌溝１１２は、一体型パネル１１に設けられる。これにより、簡単な構造の挿入舌部２２９と挿嵌溝１１２の設置によって、外気導入パネル組立体２０の一端と筐体１０との結合を実現できることで、外気導入パネル組立体２０の構造が単純化され、かつ筐体１０との間の結合も簡単、便利にさせる。
【００９６】
具体的には、前記外気導入パネル組立体２０は、外気導入パネル２１と取付板２２とを含む時、選択的に、前記挿入舌部２２９が前記取付板２２に設けられる。
【００９７】
さらに、図１３、図１８及び図１９に示すように、前記挿入舌部２２９は、外気導入パネル組立体２０の内表面に設けられ、外気導入パネル組立体２０の内表面に突設された舌根部２２９１と、舌根部２２９１に横方向に突設された挿着部２２９２とを含み、前記挿着部２２９２が外気導入パネル組立体２０の他端から離れる方向に向かって延びるように設けられ、前記挿嵌溝１１２の溝口周縁が挿着部２２９２と外気導入パネル２１との間に設けられる。具体的には、前記挿入舌部２２９は、取付板２２の内表面に設けられる。
【００９８】
前記筐体１０の筐体壁（すなわち、一体型パネル１１）は、一定の厚さを有し、挿嵌溝１１２を形成する箇所の筐体壁の厚さが薄い場合、挿着部２２９２を筐体壁の内側に挿設することで挿嵌溝１１２の開口周縁を挿着部２２９２と外気導入パネル２１との間に設けることができる。挿嵌溝１１２を形成する箇所の筐体壁の厚さが厚い場合、挿嵌溝１１２の側壁に収容凹みが係設され、挿嵌溝１１２の開口周縁が挿着部２２９２と外気導入パネル２１との間に設けられるように、前記挿着部２２９２を前記収容凹み内に挿設させることもできる。
【００９９】
したがって、挿入舌部２２９を外気導入パネル組立体２０の内表面に設けると共に挿入舌部２２９を挿嵌溝１１２内に完全に挿入することにより、挿入舌部２２９と挿嵌溝１１２の嵌合構造が外気導入パネル組立体２０と筐体１０との間の他の部位の嵌合に干渉するのを避けることができるため、外気導入パネル組立体２０と筐体１０との間の密封性を高めることで、異音及び結露の発生を防止することができる。また、挿入舌部２２９及び挿嵌溝１１２を隠すにも便利であり、その結果、塵埃が防止されるだけでなく、空調室内機１００の体裁も良くなる。
【０１００】
さらに、図１７に示すように、前記挿入舌部２２９は、前記外気導入パネル組立体２０の下端に設けられる。このようにして、挿入舌部２２９を外気導入パネル組立体２０の自重作用で挿嵌溝１１２内に保持させることができるため、外気導入パネル組立体２０の取付けの安定性を高めることができる。外気導入パネル組立体２０の下端とは、壁掛式空調室内機が壁に取り付けられた時の下端を指す。
【０１０１】
さらに、図１８及び図１９に示すように、前記外気導入パネル組立体２０の他端は、スナップフィット構造により筐体１０に結合されている。前記外気導入パネル組立体２０の他端は、スナップフィット構造によって一体型パネル１１に結合されている。したがって、外気導入パネル組立体２０の他端は筐体１０と着脱可能に結合されることができる。
【０１０２】
具体的には、前記係合具２０３０が、外気導入パネル組立体２０の内側面に設けられる。
【０１０３】
さらに、図１８及び図１９に示すように、前記外気導入パネル組立体２０の他端には係合具２０３０が設けられ、前記筐体１０に係合穴（図示せず）が設けられ、前記係合具２０３０が係合穴内に係合される。具体的には、前記係合具２０３０は、取付板２２に設けられ、前記係合穴が一体型パネル１１に設けられる。
【０１０４】
具体的には、前記外気導入パネル組立体２０が屈曲部材である場合、選択的に、前記係合具２０３０は外気導入パネル組立体２０の屈曲部に設けられる。これにより、結合強度を向上させることができる。
【０１０５】
したがって、上記の構造により、前記外気導入パネル組立体２０の両端を筐体１０に各々結合することで、前記外気導入パネル組立体２０を筐体１０に係合させることができる。
【０１０６】
さらに、図１８及び図１９に示すように、前記外気導入パネル組立体２０と前記筐体１０との間に位置決めガイド構造が設けられ、前記位置決めガイド構造は、外気導入パネル組立体２０の位置決め、ガイドに用いられる。したがって、外気導入パネル組立体２０を取り付ける時、外気導入パネル組立体２０を容易に位置決めすることができることで、外気導入パネル組立体２０の取付け効率も高めることができる。
【０１０７】
具体的には、前記位置決めガイド構造は、前記外気導入パネル組立体２０の内表面と一体型パネル１１との間に設けられる。
【０１０８】
さらに、図１８及び図１９に示すように、前記外気導入パネル組立体２０の内表面と筐体１０の外表面のいずれか一方に位置決め突起１１３が設けられ、他方には位置決め溝２０３１が設けられている。このように、位置決めガイド構造は、操作が簡単で便利である。
【０１０９】
具体的には、前記位置決め突起１１３は、筐体１０に設けられ、前記位置決め溝２０３１が外気導入パネル組立体２０に設けられている。すなわち、前記位置決め突起１１３は、一体型パネル１１の外表面に設けられ、前記位置決め溝２０３１が取付板２２の内表面に設けられている。
【０１１０】
選択的に、前記位置決め突起１１３は柱状、例えば円柱状であり、前記位置決め溝２０３１は円形溝とすることができる。
【実施例２】
【０１１１】
本発明の空調室内機１００の実施例２では、前記外気導入パネル組立体２０と筐体１０が、スナップフィット構造に磁気吸引装置を組み合わせて結合されることについて、以下に詳細に説明する。
【０１１２】
さらに、図２０乃至図２３に示すように、前記外気導入パネル組立体２０の一端は、スナップフィット構造によって筐体１０に結合されている。具体的には、前記外気導入パネル組立体２０の一端は、スナップフィット構造によって一体型パネル１１に結合されている。したがって、外気導入パネル組立体２０の一端と筐体１０との結合を実現できる。
【０１１３】
具体的には、前記外気導入パネル組立体２０の一端と筐体１０との具体的な結合構造形態は、非常に多く、空調室内機１００の実施例１を参照することができるため、詳細はここでは説明しない。
【０１１４】
さらに、図２１乃至図２３に示すように、前記外気導入パネル組立体２０の他端は、磁気吸引装置により筐体１０に結合されている。具体的には、外気導入パネル組立体２０の他端は、磁気吸引装置によって一体型パネル１１に結合されている。したがって、外気導入パネル組立体２０の他端と筐体１０との間の結合をより簡単かつ便利にすることができる。
【０１１５】
さらに、図２２と図２３を参照すると、前記外気導入パネル組立体２０の内表面に第１磁気吸引部材３１が設けられ、前記筐体１０に第１磁気吸引部材３１に組み合わせて使用される第２磁気吸引部材３２が設けられている。具体的には、前記第１磁気吸引部材３１は、取付板２２の内表面に設けられ、前記第２磁気吸引部材３２が一体型パネル１１に設けられている。
【０１１６】
選択的に、前記第１磁気吸引部材３１及び第２磁気吸引部材３２の少なくとも一方は、磁石（永久磁石）であり、これらの一方が磁石である場合、他方は鉄、ニッケル又はコバルトなどの金属部品とすることができる。一実施形態では、前記第１磁気吸引部材３１及び第２磁気吸引部材３２は、いずれも磁石（永久磁石）として設けられる。
【０１１７】
さらに、図２２及び図２３に示すように、前記外気導入パネル組立体２０の内表面にはマグネット用取付部が設けられており、前記第１磁気吸引部材３１は、マグネット用取付部に取り付けられている。具体的には、前記マグネット用取付部は、取付板２２の内表面に設けられている。
【０１１８】
さらに、図２２及び図２３に示すように、前記マグネット用取付部は、横方向に開口するマグネット用取付溝２０３２を含み、前記マグネット用取付溝２０３２の外気導入パネル組立体２０の内表面と対向する側壁にマグネット用貫通孔２０３３が開設され、前記マグネット用貫通孔２０３３が取付溝の外気導入パネル組立体２０の内表面に対向する側壁を貫通する。前記第１磁気吸引部材３１は、段付き構造であり、厚い部分と薄い部分とを含み、前記厚い部分がマグネット用取付溝２０３２内に取り付けられ、薄い部分がマグネット用貫通孔２０３３内に取り付けられる。
【０１１９】
さらに、図２２及び図２３に示すように、前記マグネット用取付部は、前記外気導入パネル組立体２０の内表面に設けられたマグネット凸部２０３４を更に含み、前記マグネット用取付溝２０３２、マグネット用貫通孔２０３３がいずれも前記マグネット凸部２０３４に設けられる。このようにして、マグネット用取付部の構造を簡素化することができる。
【０１２０】
具体的には、図２２及び図２３に示すように、前記マグネット凸部２０３４は、取付板２２の内表面に設けられる。
【０１２１】
具体的には、図２１に示すように、筐体１０上の前記第２磁気吸引部材３２の取付構造は、外気導入パネル組立体２０上の前記第１磁気吸引部材３１の取付構造と同様であり、詳細に説明する必要はない。また、適応的な変更を加えることもできることを理解されたい。
【０１２２】
言及すべき点は、第１磁気吸引部材３１と第２磁気吸引部材３２との間には吸引力があり、外気導入パネル組立体２０と筐体１０との間に自然の位置決め作用が働くことで、位置決めガイド構造を増設する必要がない。
【０１２３】
さらに、図１８及び図２０に示すように、前記筐体１０には収容凹溝１１４が設けられ、前記外気導入口１１１は、収容凹溝１１４の底部に設けられ、前記外気導入パネル組立体２０が収容凹溝１１４内に取り付けられる。したがって、外気導入パネル組立体２０を取り付けるため、収容凹溝１１４を設けることにより、外気導入パネル組立体２０を隠すことができることで、運搬中などに外気導入パネル組立体２０が衝撃を受けるリスクを軽減するだけでなく、外気導入パネル組立体２０の損傷も減らすことができ、かつ防塵も実現できる。
【０１２４】
具体的には、前記収容凹溝１１４は、一体型パネル１１に設けられる。
【０１２５】
具体的には、前記外気導入パネル組立体２０の外表面は、一体型パネル１１の外表面と、面一であるか、又はほぼ面一であるか、又は滑らかにつながっている、などである。
【０１２６】
さらに、図３に示すように、前記筐体１０は内側に曲げられて前記収容凹溝１１４を形成する。このようにして、少なくとも筐体１０の構造的強度を高めることができる。
【０１２７】
具体的には、前記一体型パネル１１は内側に曲げられて収容凹溝１１４を形成する。
【０１２８】
具体的には、図１８及び図２０に示すように、前記外気導入口１１１、挿嵌溝１１２、及び位置決め突起１１３は、いずれも収容凹溝１１４の底部に設けられる。
【実施例３】
【０１２９】
その他の実施形態では、その他の構造形態を通じて「外気導入パネル組立体２０が、外気導入口１１１に開閉可能に設置される」ことを実現することもできる。具体的には、前記空調室内機１００の実施例３（図示せず）では、外気導入パネル組立体２０を外気導入口１１１に開閉可能に設置するため、前記外気導入パネル組立体２０と筐体１０が回動可能に結合される。ここで、前記外気導入パネル組立体２０は、一体型パネル１１に回動可能に結合されている。
【０１３０】
具体的には、前記外気導入パネル組立体２０の一側縁は、一体型パネル１１に回動可能に結合され、前記側縁が外気導入パネル組立体２０の第１側縁である。
【０１３１】
前記外気導入パネル組立体２０と一体型パネル１１の回動可能な結合構造は、当業者が容易に想到できものであり、ここで詳述する必要はないことを理解されたい。
【０１３２】
具体的には、前記外気導入パネル組立体２０は、外気導入パネル組立体２０の第１側縁から離れた位置で筐体１０と着脱可能に結合されている。これにより、外気導入パネル組立体２０を固定することができる。
【０１３３】
さらに、前記外気導入パネル組立体２０の第２側縁は、筐体１０と着脱可能に結合され、かつ前記外気導入パネル組立体２０の第２側縁が外気導入パネル組立体２０の第１側縁と対向して設けられる。したがって、外気導入パネル組立体２０と筐体１０との間の結合構造を簡素化できるだけでなく、外気導入パネル組立体２０と筐体１０との間の結合安定性も向上させることができる。
【０１３４】
具体的には、前記外気導入パネル組立体２０と筐体１０との間の着脱可能な結合構造は、当業者が容易に想到できるものであり、ここで詳述する必要はない。
【０１３５】
選択的に、前記外気導入パネル組立体２０の第１側縁は、前記外気導入パネル組立体２０の上側縁、又は左側縁、或いは右側縁である。したがって、外気導入パネル組立体２０を開いた時、外気導入パネル組立体２０が自身の掃除を妨げることを防ぐことができる。当然、前記外気導入パネル組立体２０の第１側縁は、外気導入パネル組立体２０の下側縁でもあり得る。
【０１３６】
さらに、図２４乃至図２６に示すように、前記外気導入パネル組立体２０と筐体１０との間に密封構造が設けられ、前記密封構造は、外気導入パネル組立体２０と筐体１０との間の密封性を高めるために用いられる。このようにして、外気導入モジュール４０によって送り出される外気が、外気導入パネル組立体２０と筐体１０との間で漏れることを防止することができることで、外気吹き出し風量ロスを減少するだけでなく、空調室内機１００の換気能力を向上させると共に外気の漏れ時に発生する異音及び／又は結露を避けることができる。
【０１３７】
さらに、図２６に示すように、前記密封構造は、シールリング突起１１５とシールリング溝２０３５とを含み、前記シールリング突起１１５が環状に延びる突起であり、前記シールリング溝２０３５が環状に延びる凹溝である。具体的には、前記シールリング突起１１５とシールリング溝２０３５のうち一方は前記外気導入パネル組立体２０の内表面に設けられ、他方は前記筐体１０の外表面に設けられ、前記シールリング突起１１５が前記外気導入口１１１の外周側に設けられ、かつ前記シールリング突起１１５が前記シールリング溝２０３５内に設置されている。このようにして、外気導入パネル組立体２０と筐体１０との間の密封性を高めることができ、かつ密封構造の構造が簡単で、かつ組立にも便利である。
【０１３８】
具体的には、前記シールリング突起１１５は、筐体１０の外表面に設けられ、前記シールリング溝２０３５が外気導入パネル組立体２０の内表面に設けられる。前記シールリング突起１１５は、一体型パネル１１の表面に設けられ、前記シールリング溝２０３５が取付板２２の内表面に設けられている。
【０１３９】
さらに、前記シールリング突起１１５の末端は、前記シールリング溝２０３５の底部に当接する。このようにして、密封効果をさらに向上することができる。
【０１４０】
さらに、前記シールリング溝２０３５は、前記通気口２２１と横方向に連通している。  このようにして、密封効果をさらに向上することができる。
【０１４１】
当然、前記密封構造は他の構造形態で構成することもでき、ここではこれ以上説明しない。
【０１４２】
以下、一体型パネル１１（以下、パネル１１という）について説明する。
【０１４３】
本発明の実施形態では、図２７乃至図３８に示すように、前記パネル１１は、端面（その端面を第１端面１１６１として説明する）に挿嵌溝１１６２が設けられたパネル本体１１６と、挿嵌溝１１６２と挿嵌するパネル装飾用ストリップ１１７とを含み、挿嵌溝１１６２の溝壁とパネル装飾用ストリップ１１７のいずれか一方には、位置決め穴１１６３が設けられ、他方には位置決め穴１１６３に挿嵌される位置決めピン１１７１が設けられる。
【０１４４】
本実施形態では、パネル本体１１６は、略横方向に延びて長尺状を呈し、パネル本体１１６の端面とは、左端面及び右端面をそれぞれ指し、すなわち、パネル本体１１６の左端面及び右端面に挿嵌溝１１６２が設けられ、各挿嵌溝１１６２にパネル装飾用ストリップ１１７が設けられる。前記挿嵌溝１１６２もパネル本体１１６の第１端面１１６１に沿って延びて長尺状を呈し、パネル装飾用ストリップ１１７がパネル本体１１６の第１端面１１６１と同様の形状、すなわち長尺状を呈する。
【０１４５】
一実施形態では、挿嵌溝１１６２の溝壁に位置決め穴１１６３が設けられ、パネル装飾用ストリップ１１７には位置決め穴１１６３と挿嵌する位置決めピン１１７１が設けられている。位置決めピン１１７１は、位置決め穴１１６３内に挿入されてパネル装飾用ストリップ１１７が上下方向に沿って移動（パネル本体１１６の幅方向に沿って移動することを指す）することを防止できる。具体的には、位置決め穴１１６３は、挿嵌溝１１６２の上端近くに設けられ、位置決めピン１１７１が同様にパネル装飾用ストリップ１１７の上端に位置する。当然、位置決め穴１１６３及び位置決めピン１１７１の位置は、上端に限定されず、中央又は下端などであってもよい。また、位置決め穴１１６３及び位置決めピン１１７１の数は、必要に応じて設定することができ、１セットに限定されない。他の実施形態では、位置決めピン１１７１は、挿嵌溝１１６２の溝壁に配置することができ、位置決め穴１１６３がパネル装飾用ストリップ１１７に配置されることができる。
【０１４６】
一実施例において、位置決めピン１１７１は、ほぼ円柱状を呈し、位置決め穴１１６３に挿入された後、上下方向の制限として機能し、左右方向を制限しない。一実施形態では、位置決めピン１１７１は、スナップフィット構造を有し、位置決め穴１１６３に挿入された後、上下方向を制限するだけでなく、パネル装飾用ストリップ１１７がパネル本体１１６から分離するのを抑制することもできる。
【０１４７】
本発明の実施形態では、パネル本体１１６とパネル装飾用ストリップ１１７との間に位置決めピン１１７１及び位置決め穴１１６３の構造を設けることによって位置決めし、位置決めピン１１７１が位置決め穴１１６３内に挿入された後、パネル装飾用ストリップ１１７の長さ方向に沿ったパネル本体１１６の相対運動を防止でき、両者の位置合わせがより正確であることを保証し、両者間のその後の固定を容易にする。
【０１４８】
一実施形態では、挿嵌溝１１６２の溝壁は、溝の開口に面する底壁を含み、位置決め穴１１６３が底壁に設けられ、位置決めピン１１７１がパネル装飾用ストリップ１１７のパネル本体１１６に向いた表面に設けられる。位置決めピン１１７１はパネル装飾用ストリップ１１７を挿嵌溝１１６２内に取り付けた時の取付方向に沿って、位置決め穴１１６３内に直接挿入されるため、位置決めピン１１７１と位置決め穴１１６３の挿嵌に有利である。
【０１４９】
本発明の実施形態では、位置決めピン１１７１は、位置決め穴１１６３に近づく方向に先細になり、及び／又は、位置決め穴１１６３の開口部が位置決めピン１１７１に近づく方向に末広になっている。本明細書で現れている「及び／又は」の意味には、3つの並行スキームが含まれ、「Ａおよび／またはＢ」を例にすると、Ａスキーム、Ｂスキーム、又はＡとＢの両方を同時に満たすスキームを含む。例えば、一実施形態では、位置決めピン１１７１は、位置決め穴１１６３に近づく方向に先細になっており、すなわち、位置決めピン１１７１の端部が更に小さいため、位置決めピン１１７１が位置決め穴１１６３に容易に挿入するよう案内できる。具体的には、位置決めピン１１７１のうちの1つの側面が傾斜面１１７１１であり、位置決めピン１１７１が位置決め穴１１６３に近づく方向に先細になることを実現する。或いは、位置決めピン１１７１が円錐状などを呈する。又、例えば、一実施形態では、位置決め穴１１６３の開口部が位置決めピン１１７１に近づく方向に末広形状となり、位置決めピン１１７１が位置決め穴１１６３の開口部に挿入された時、大きな開口部が位置決めピン１１７１を容易に挿入するよう保証でき、位置決めピン１１７１が内側に移動するにつれて、位置決め穴１１６３の孔径が徐々に小さくなるため、パネル本体１１６とパネル装飾用ストリップ１１７との間の位置の精度が徐々に達成される。また、一実施形態では、位置決めピン１１７１は、位置決め穴１１６３に近づく方向に先細になっており、かつ位置決め穴１１６３の開口部が位置決めピン１１７１に近い方向に末広形状となる。
【０１５０】
本発明の実施形態では、挿嵌溝１１６２の開口部は、内側から外側に向かって末広形状となり、及び／又は、パネル装飾用ストリップ１１７の厚さはパネル本体１１６に近づく方向に徐々に減少する。挿嵌溝１１６２の開口部は末広形状となるため、パネル装飾用ストリップ１１７の案内機能を果たし、パネル装飾用ストリップ１１７の挿入を容易にする。同様に、パネル装飾用ストリップ１１７の厚さは、パネル本体１１６に近づく方向に徐々に減少し、挿嵌溝１１６２へのパネル装飾用ストリップ１１７の挿入についてより良い案内も提供する。具体的には、一実施形態では、パネル装飾用ストリップ１１７は、厚さ方向に沿って配置される２つの挿着面を有し、一方の挿着面がパネル本体１１６に近づく方向で他方の挿着面に向かって徐々に傾斜する。
【０１５１】
パネル装飾用ストリップ１１７とパネル本体１１６との間の固定を実現するため、一実施形態では、パネル装飾用ストリップ１１７と挿嵌溝１１６２の溝壁の一方に係止具１１７２が設けられ、他方に係止具１１７２と係合する係止溝１１６４が設けられる。選択的に、パネル装飾用ストリップ１１７の長さ方向に沿って、間隔を空けて複数の係止具１１７２が設けられ、挿嵌溝１１６２の溝壁に複数の係止溝１１６４が対応して設けられ、複数の係止具１１７２と複数の係止溝１１６４は一対一係合する。係合方式でパネル装飾用ストリップ１１７をパネル１１本体に固定するので、パネル装飾用ストリップ１１７の着脱が容易になる。かつパネル装飾用ストリップ１１７とパネル本体１１６は、先に位置決め構造（位置決め穴１１６３及び位置決めピン１１７１）を通じて位置決めされた後、均等に分布した係止具１１７２とパネル本体１１６の係止溝１１６４によって拘束され組み立てられ、それによってパネル装飾用ストリップ１１７と挿嵌溝１１６２の底壁との間の隙間を確保でき、組み立てを容易にするのに役立つ。また、複数の係止具１１７２と複数の係止溝１１６４の設置は、パネル装飾用ストリップ１１７とパネル１１板体との間の取付け安定性を高めることができる。具体的には、一実施形態では、パネル装飾用ストリップ１１７に係止具１１７２が設けられ、挿嵌溝１１６２の溝壁に係止具１１７２と係合する係止溝１１６４が設けられ、前記係止溝１１６４が挿嵌溝１１６２の溝壁を貫通する貫通溝である。当然、係止溝１１６４は、パネル本体１１６を貫通しなくともよい。
【０１５２】
図３１及び図３５を参照すると、一実施形態では、パネル本体１１６は、その端面に隣接する側面１１６５を有し、側面１１６５がパネル装飾用ストリップ１１７の端部に近い。パネル装飾用ストリップ１１７は、互いに接続する装飾部１１７３と挿嵌部１１７４とを含み、挿嵌部１１７４が挿嵌溝１１６２に挿嵌され、装飾部１１７３が挿嵌溝１１６２の外に露出して、長尺状を呈し、装飾部１１７３の端面（その端面は第２端面１１７５である）が側面１１６５と面一である。具体的には、パネル本体１１６が上下方向に延びる実施形態では、パネル本体１１６の側面１１６５は、上側面１１６５及び下側面１１６５を指す。本実施形態では、パネル装飾用ストリップ１１７の上端面とパネル本体１１６の上側面１１６５が面一で、パネル装飾用ストリップ１１７の下端面がパネル本体１１６の下側面１１６５と面一である。パネル１１が空調室内機のパネルフレームに取り付けられた後、パネル装飾用ストリップ１１７がパネル本体１１６から突出すると、パネル装飾用ストリップ１１７がパネルフレームと干渉して、パネル１１を適切に取り付けられない。パネル装飾用ストリップ１１７がパネル本体１１６よりも短い場合、パネル装飾用ストリップ１１７とパネルフレームの間に隙間が存在して塵が積もる。本実施形態では、位置決めピン１１７１と位置決め穴１１６３の設置により、パネル装飾用ストリップ１１７が上下方向に移動することを防止するため、パネル装飾用ストリップ１１７の上端面がパネル本体１１６の上側面１１６５と面一となることを確保し、パネル装飾用ストリップ１１７の下端面がパネル本体１１６の下側面１１６５と面一となるため、上述の問題の発生を避ける。本実施形態では、装飾部１１７３と挿嵌部１１７４はそれぞれ細長く、装飾部１１７３の両端が外側に延びて挿嵌部１１７４を超えて延びている、すなわち装飾部１１７３の長さは挿嵌部１１７４の長さより長く、かつ挿嵌部１１７４を超えた装飾部１１７３の余分な部分は、パネル本体１１６の端面に当接することで、両者の間に隙間が生じることを避ける。
【０１５３】
図３９及び図４０を一緒に参照すると、一実施形態では、パネル装飾用ストリップ１１７に掛止穴１１７６が貫設され、前記掛止穴１１７６は、捨て穴であり、湿式メッキ時、パネル装飾用ストリップ１１７を掛けるために用いられ、パネル装飾用ストリップ１１７に傷が付けるのを防止できるが、他の形成方法が選択された時には前記掛止穴１１７６を除去できる。
【０１５４】
図３０、図４１及び図４２を一緒に参照すると、具体的には、空調室内機は、パネルフレーム５０を含み、パネル１１がパネルフレーム５０の前側に覆設され、パネルフレーム５０の端面に端板１２が設けられている。一実施形態では、空調室内機は、壁掛式であり、パネルフレーム５０がほぼ横方向に延び、パネル１１は前面パネル１１であり、同様に横方向に延びる。パネルフレーム５０の左端面と右端面の両方に端板１２が設けられている。ここで言及すべき点は、本発明の実施形態におけるパネル本体１１６の端面とは、パネル本体１１６の長手方向において両端部に配置された端面を指す。
【０１５５】
図４３を参照すると、一実施形態では、空調室内機は、端板装飾用ストリップ１３を更に含み、端板装飾用ストリップ１３が端板１２の周方法に沿って延在して切欠部１３１を有する環状を形成し、パネル１１のパネル装飾用ストリップ１１７が切欠部１３１に設けられ、端板装飾用ストリップ１３と共に端板１２の周面を取り囲む。本実施形態では、端板１２とパネル本体１１６との隣接する位置で、一つの装飾用ストリップを共有しており、パネル本体１１６の装飾用ストリップが端板装飾用ストリップ１３の切欠部１３１内に嵌め込まれているため、完全性がより良好である。
【０１５６】
図２７を参考すると、一実施形態では、空調室内機は、外気導入モジュール４０を更に含み、外気導入モジュール４０が外気吸込口と外気吹出口とを備え、外気吸込口が室外に連通され、外気吹出口が室内に連通されることで、新鮮な外気を室内に導入することができる。選択的に、外気導入モジュール４０は、空調室内機の端部に設けられ、熱交換空気吹出口から吹き出される冷暖気流の影響を低減することができる。
【０１５７】
本発明は、空気調和機として更に提案される。前記空気調和機は、空調室外機（図示せず）と空調室内機とを含み、前記空調室内機が空調室外機に接続される。図１乃至図４３に示すように、前記空調室内機１００の具体的な構造は、上記実施形態を参照されたい。本発明の空気調和機は以上に述べた全ての実施形態の全技術的手段を採用するため、上記実施形態の技術的手段でもたらす全ての有利な効果を少なくとも持っているので、ここではこれ以上説明しない。
【０１５８】
選択的に、前記空調室内機１００と空調室外機は、冷媒管を通じて接続する。
【０１５９】
本発明では好ましい実施形態を前述の通り開示したが、これらは決して本発明を限定するものではなく、本発明の明細書及び添付図面を利用した均等の範囲内で各種の変更や修飾、若しくは直接的又は間接的なその他の関連の技術分野への応用は、本発明の特許保護範囲内に含めるものであるのは勿論である。
【符号の説明】
【０１６０】
１００  空調室内機
１０  筐体
１１  一体型パネル／パネル
１１１  外気導入口
１１２  挿嵌溝
１１３  位置決め突起
１１４  収容凹溝
１１５  シールリング突起
１１６  パネル本体
１１６１  第１端面
１１６２  挿嵌溝
１１６３  位置決め穴
１１６４  係止溝
１１６５  側面
１１７  パネル装飾用ストリップ
１１７１  位置決めピン
１１７１１  傾斜面
１１７２  係止具
１１７３  装飾部
１１７４  挿嵌部
１１７５  第２端面
１１７６  掛止穴
１２  端板
１３  端板装飾用ストリップ
１３１  切欠部
２０  外気導入パネル組立体
２１  外気導入パネル
２１１  吹き出し構造
２１２  係止突起
２１２１  連結突起
２１２２  制限突起
２１２３  ラッチ溝
２１２４  補強突起
２１３  後退防止突起
２１４  係止フック
２１４１  支持突起
２１４２  突起状ストッパー
２１４２１  脱落防止溝
２１４３  係止フック溝
２１５  補強突起リブ
２１６  当接突起
２２  取付板
２２１  通気口
２２２  基材
２２３  装飾側板
２２４  係止穴
２２４１  ラッチ突起
２２４２  取付隙間
２２５  後退防止凹溝
２２６  位置合わせ溝
２２６１  案内内壁
２２７  脱落防止突起
２２８  補強用凹溝
２２９  挿入舌部
２２９１  舌根部
２２９２  挿着部
２０３０  係合具
２０３１  位置決め溝
２０３２  マグネット用取付溝
２０３３  マグネット用貫通孔
２０３４  マグネット凸部
２０３５  シールリング溝
３１  第１磁気吸引部材
３２  第２磁気吸引部材
４０  外気導入モジュール
５０  パネルフレーム
【図１】
2021517227.tif 000003
【図２】
2021517227.tif 000004
【図３】
2021517227.tif 000005
【図４】
2021517227.tif 000006
【図５】
2021517227.tif 000007
【図６】
2021517227.tif 000008
【図７】
2021517227.tif 000009
【図８】
2021517227.tif 000010
【図９】
2021517227.tif 000011
【図１０】
2021517227.tif 000012
【図１１】
2021517227.tif 000013
【図１２】
2021517227.tif 000014
【図１３】
2021517227.tif 000015
【図１４】
2021517227.tif 000016
【図１５】
2021517227.tif 000017
【図１６】
2021517227.tif 000018
【図１７】
2021517227.tif 000019
【図１８】
2021517227.tif 000020
【図１９】
2021517227.tif 000021
【図２０】
2021517227.tif 000022
【図２１】
2021517227.tif 000023
【図２２】
2021517227.tif 000024
【図２３】
2021517227.tif 000025
【図２４】
2021517227.tif 000026
【図２５】
2021517227.tif 000027
【図２６】
2021517227.tif 000028
【図２７】
2021517227.tif 000029
【図２８】
2021517227.tif 000030
【図２９】
2021517227.tif 000031
【図３０】
2021517227.tif 000032
【図３１】
2021517227.tif 000033
【図３２】
2021517227.tif 000034
【図３３】
2021517227.tif 000035
【図３４】
2021517227.tif 000036
【図３５】
2021517227.tif 000037
【図３６】
2021517227.tif 000038
【図３７】
2021517227.tif 000039
【図３８】
2021517227.tif 000040
【図３９】
2021517227.tif 000041
【図４０】
2021517227.tif 000042
【図４１】
2021517227.tif 000043
【図４２】
2021517227.tif 000044
【図４３】
2021517227.tif 000045
【国際調査報告】
2021517227.tif 000046
2021517227.tif 000047
2021517227.tif 000048
2021517227.tif 000049
2021517227.tif 000050